(57)【要約】      （修正有）【課題】  矯正用のブラジャーを着用するに当って、バストを内側へ寄せると共に該バスト周りを締め付けることで該ブラジャーの各部が肌に食い込んで周囲の肉が盛り上がることを防止し、又身体の動きを妨げず、そして着用時のズレが起こらないボディーサポータの提供。【解決手段】  バストを除いた上半身を被覆すると共に所定の締め付け力によって拘束する為の伸縮可能な生地で構成したボディーサポータであって、背中を覆う後身頃３とバストアンダーからウエスト部にかけての部分を覆う為に縁部８ａ，８ｂには互いに連結する係止手段を設けた右前身頃１と左前身頃２，及び肩からバスト外側に沿って下方へ延びて前身頃に繋がる右側部身頃５と左側部身頃６、さらに二の腕を拘束するスリーブ４ａ、４ｂから成って、左右前身頃１，２の上方には両バストを露出する大きな開口７を有し、スリーブ４ａ，４ｂの脇下部には伸縮性に優れたメッシュ生地を設けている。【選択図】    図１
2006193833.tif 000002
【特許請求の範囲】
【請求項１】
バストを除いた上半身を被覆すると共に所定の締め付け力によって拘束する為に伸縮可能な生地で構成したボディーサポータにおいて、背中を覆う後身頃とバストアンダーから上腹部にかけての部分を覆う為に縁部には互いに連結する係止手段を設けた右前身頃と左前身頃，及び肩からバスト外側に沿って下方へ延びて上記左右前身頃に繋がる右側部身頃と左側部身頃、さらに二の腕を拘束するスリーブから構成され、上記左右前身頃の上方には両バストを露出する大きな開口を有し、上記スリーブの脇下部には伸縮性に優れたメッシュ生地を設けたことを特徴とするボディーサポータ。
【請求項２】
上記後身頃には肩から左右前身頃にかけて延びる伸縮性の当て布を概略Ｘ状にクロスして縫い合わせた請求項１記載のボディーサポータ。
【請求項３】
上記左右側部身頃に伸縮可能な別の生地を縫い合わせて厚地とした請求項１、又は請求項２記載のボディーサポータ。
【請求項４】
上記開口の下側コーナー部にはレース等の生地を縫い付けた請求項１、請求項２、又は請求項３記載のボディーサポータ。
【請求項５】
バストを含めた上半身を矯正する為の方法において、ボディーサポータを身に着けた状態でブラジャー又はボディーシェイパー等を着用し、該ボディーサポータは伸縮可能な生地で構成されて上半身を適度な締め付け力によって拘束する為に、背中を覆う後身頃とバストアンダーから上腹部にかけての部分を覆う為に縁部には互いに連結する係止手段を設けた右前身頃と左前身頃，及び肩からバスト外側に沿って下方へ延びて上記左右前身頃に繋がる右側部身頃と左側部身頃、さらに二の腕を拘束するスリーブから成り、しかし両バストは上記左右前身頃の上方に形成した大きな開口から露出するが該開口の下側コーナー部に縫い付けたレースなどの生地にてバストを内側へ寄せ、上記スリーブの脇下部には伸縮性に優れたメッシュ生地を設けることで腕の動きが自由になり、そして身に着けたボディーサポータの上にブラジャー又はボディーシェイパー等を着用する場合には、ストラップは左右側部身頃の上に載り、カップ下縁に沿って取付けているワイヤーは左右前身頃と左右側部身頃の上に載置され、さらにパネルは左右前身頃と後身頃の上に配置されることで、肌への食い込み及び肉の盛り上がり、それに二の腕への肉の流れを防止することを特徴とする上半身の矯正方法。
【発明の詳細な説明】
【技術分野】
【０００１】
本発明は胸部から二の腕にかけての部分をサポートすることが出来るボディーサポータ及び上半身の矯正方法に関するものである。
【背景技術】
【０００２】
ブラジャーはバストを拘束することによって、身体を動かしても揺れないようにするのみならず、バストの形を整えたり、バストの小さな人であればより大きく見せることが出来る機能を備えている。従来、バストを大きく見せる為にパットを用いており、ブラジャーのカップ内側に設けた袋状のパット受けに該パットを収容している。必要に応じて１枚ないし３枚程度重ね合わせて用いるのが常である。
【０００３】
従って、バストの小さな人であっても上記パットを重ねて用いることで大きく見せることは出来るが、同じ大きさのパットを重ね合わせるに過ぎない為に、全体的に盛り上がった状態となり、カップの周辺部に段差が生じてしまい、バストの付け根からの自然な丸み(曲面)を形成することが出来ない。バストの下部は分かり難い為にそれ程不自然な状態にはならないが、バストの上部に段差が生じるならばパットを入れた見せ掛けのバストであることが明らかとなり、全体的には不自然な形のバストに見えてしまう。
【０００４】
このように、バストの見せかけの大きさを作り出すことは可能であるが、バスト自体の形を整える為に一般的なブラジャーではなく、矯正用ブラジャーが使用されている。勿論、ブラジャーとしての基本形態に大きな差異が存在する訳ではないが、カップ下縁に沿ってワイヤーを設けて比較的強く締付けるように着用する。勿論、バストを持ち上げると共に内側へ寄せて形を整えるように着用している。
【０００５】
図６は矯正用ブラジャーを着用した場合を示し、(ａ)は正面図、(ｂ)は背面図である。該矯正用ブラジャーはパネル(ロ)に２個のカップ(イ)、(イ)が対を成して縫い付けられ、カップ(イ)、(イ)の下縁に沿ってワイヤー(ハ)、(ハ)が設けられている。そして、カップ(イ)、(イ)の上部から延びるストラップ(ニ)、(ニ)はパネル(ロ)の背後に連結し、該ストラップ(ニ)、(ニ)を肩に掛けることが出来る。
【０００６】
ところで、カップ下縁にワイヤー(ハ)、(ハ)を設けている為に、バストの形は整うが、このワイヤー部分は肌に食い込み、又、肩に掛かるストラップ(ニ)、(ニ)も肌に食い込む。さらに、パネル(ロ)にて胸を締付ける為に該パネル(ロ)は胸元や背中に食い込むことに成る。このように、矯正用ブラジャーは一般のブラジャーに比較して、締め付け力が強くなることで上記ブラジャーの各部が肌への食い込み、その結果、周囲には肉が盛り上がってしまう。
【０００７】
同図において、点線で示した部分は矯正用ブラジャーの着用にて肉の盛り上がりが大きな箇所である。このように肉が部分的に盛り上がっている状態が、薄着となる夏場においては透けて見えることに成る。上記ストラップ(ニ)、(ニ)の周囲の盛り上がりは副乳と称され、形が整った美しいバストであっても副乳が出来たのでは上半身のバランスが崩れてしまう。一方、胸部を引き締めることで、この部分の肉が腕へ流れて二の腕と称される肩関節より下方が太くなり、バストの矯正と共に二の腕部分を引き締める必要性が高い。
【発明の開示】
【発明が解決しようとする課題】
【０００８】
このように、従来の矯正用ブラジャーには上記の問題が残されている。本発明が解決しようとする課題はこれら問題点であり、バストを内側へ寄せると共に副乳などの盛り上がりを無くし、又、二の腕を細くすることが出来るボディーサポータを提供する。
【課題を解決するための手段】
【０００９】
本発明に係るボディーサポータは、両バストが露出するように胸元を大きく開口した伸縮性のあるウエアーであって、上記胸元開口の下側両コーナーには三日月形のレースなどの生地が縫い付けられ、裾の長さは胸部(上腹部)から背中にかけての部分を覆うに必要な寸法とされ、又肩下の二の腕を拘束するスリーブを有している。正面側の左右前身頃には係脱可能なファスナー又はフックなどの係止手段を設け、背面側の後身頃には概略Ｘ状にクロスした当て布を縫い合わせている。そして、脇下には伸縮性に優れたメッシュ生地を縫い付け、着用時の腕の動きを自由ならしめている。ところで、本発明のボディーサポータを肌着として着用し、このボディーサポータを身に付けた状態で正面開口から露出している両バストを拘束する為に矯正用ブラジャーを着用する。
【発明の効果】
【００１０】
本発明のボディーサポータを肌着として身に付け、その上にブラジャー，ボディーシェイパー、ボディースーツ、スリーインワン等を着用することが出来る。伸縮性のある生地で構成された本発明のボディーサポータはバストを除いた胸部全体をほぼ均一に、適度な締め付け力にて拘束し、二の腕も同じようにスリーブにて締め付けることが出来る。ただし、正面開口から露出している両バストは矯正用ブラジャーによって拘束されて形を整えることが出来る。又、ボディーサポータの胸元開口の下側両コーナーに設けた三日月形生地はバストを内側へ寄せることが出来る。
【００１１】
ところで、上記ボディーサポータを身に着けた上に矯正用ブラジャーを着用する場合、バスト以外は重ね着され、ストラップ、パネルはボディーサポータの上に位置することになる。その為に、ストラップ及びパネルが肌に食い込むことはなく、周囲に肉が盛り上がることもない為に、矯正用ブラジャーの快適な着用感が得られる。
【００１２】
そして、ボディーサポータを身に着けることで、矯正用ブラジャーを着用しても二の腕に肉が流れることはなく、細い二の腕を作ることが出来、又背中や脇への肉の流れを抑えてバスト部分に集めてカップ周りをサポートし、バストアンダー部分を支えて強力にバストアップをする働きを行う為に、上半身のボディラインを美しく整えることが可能と成る。又、スリーブの脇下には伸縮性のあるメッシュ生地が設けられている為に縦・横・斜め方向の伸びに対応し、上半身を拘束するボディーサポータを着用した状態でも腕は動かし易く、身体を動かしても着用したボディーサポータの各パーツ(二の腕、カップ脇、アンダーバスト)の位置ズレは発生しない。
【実施例】
【００１３】
図１は本発明に係るボディーサポータを示す実施例である。該ボディーサポータは同図に示すようにスリーブを備えたチョッキのごときウエアーであり、右前身頃１、左前身頃２、後身頃３、スリーブ４ａ，４ｂ、右側部身頃５、左側部身頃６を有し、左右前身頃１，２の上部は大きな開口７を形成している。右前身頃１と左前身頃２の縁部８ａ，８ｂには複数のフックとアイが取付けられており、両縁部８ａ，８ｂを連結することが出来る。そして、上記右前身頃１、左前身頃２、後身頃３、スリーブ４ａ，４ｂ、右側部身頃５、左側部身頃６は通気性があって伸縮する生地が用いられている。
【００１４】
右前身頃１と右側部身頃５は連続した生地で構成されると共に、右側部身頃５には別の生地が縫い合わされて厚地と成っている。同じく、左前身頃２と左側部身頃６も連続した生地で構成されると共に、左側部身頃６には別の生地が縫い合わされて厚地と成っている。そして右側部身頃５及び右前身頃１は後身頃３の右側に縫い付けられ、左側部身頃６及び左前身頃２は後身頃３の左側に縫い付けられている。そして、スリーブ４ａ，４ｂは上記左右側部身頃５，６に縫い付けられて両側へ延びている。
【００１５】
又、スリーブ４ａ，４ｂの脇下に当る右側部身頃５及び左側部身頃６の一部には伸縮性に優れたメッシュ生地１８ａ，１８ｂが設けられ、着用した際の腕の動きが自由に行い得るように成っている。そして開口７のコーナー部であって、左右側部身頃５，６から左右前身頃１，２にかけて、伸縮性のあるレース生地９ａ，９ｂが縫い付けられている。
【００１６】
図１(ｂ)には背面図を表しているが、後身頃３にはその上縁から左右前身頃１，２の縫い付け部にかけて当て布１０ａ，１０ｂをＸ状にクロスして縫い合わせている。当て布１０ａ，１０ｂの生地も伸縮性があって、後身頃３と同一生地を使用してもよいが、当て布１０ａ，１０ｂが重ね合わされる為に、この部分は厚地と成って伸縮し難くなる。従って、このボディーサポータを着用することで、タスキを掛けたように背中が引っ張られて背筋が伸び、その為に姿勢が良くなる。上半身を美しく整えるには、ブラジャーにて矯正するだけでなく姿勢を良くすることが必要条件の１つでもある。
【００１７】
ところで、このボディーサポータを着用する場合には、フックーアイの係合を解除して左右前身頃１，２を開いた状態で行う。図２、図３はボディーサポータを着用した場合の正面図と背面図を表している。該ボディーサポータを着用して左右前身頃１，２の縁部８ａ，８ｂに備えてあるフック−アイを係止するならば、左右前身頃１，２と後身頃３はアンダーバスト１１を適度な力で締め付ける。
【００１８】
そして、左右側部身頃５，６は肩から下方へ両バスト１２ａ，１２ｂの外側にかけて延びている。しかし、両バスト１２ａ，１２ｂは開口７から露出しているが、該開口７の下側両コーナーに設けているレース生地９ａ，９ｂはバスト１２ａ，１２ｂの下外側を支えると共に該バスト１２ａ，１２ｂを内側へ寄せることが出来る。
【００１９】
左右側部身頃５，６から外方向へ延びるスリーブ４ａ，４ｂには二の腕１４ａ，１４ｂが嵌り、該二の腕１４ａ，１４ｂを適度に締め付けることが出来る。該ボディーサポータは伸縮する生地から成っている為に、これを身に着けることでアンダーバスト１１、背中、二の腕１４ａ，１４ｂは適度な力で締め付けられるが、脇下部に設けた伸縮性に優れたメッシュ生地によって、腕の動きは拘束されない。
【００２０】
図４は前記図２に示すボディーサポータの上に矯正用ブラジャーを着用した場合を示している。ブラジャーの両カップ１３ａ，１３ｂはバスト１２ａ，１２ｂを包み込み、該バスト１２ａ，１２ｂの形を整えることが出来る。そしてパネル１５にてバスト下側が適度な締め付け力にて圧縮される。この場合、ブラジャーのパネル１５は左右前身頃１，２及び後身頃３に載って重なり合う為に肌に直接接することはない。
【００２１】
従って、パネル１５が肌に食い込むことはなく、しかも食い込みに伴う肉の盛り上がりは発生しない。又、カップ下縁に沿って取付けられているワイヤー１６ａ，１６ｂは、バスト１２ａ，１２ｂの内側を除いて肌に接することはなく、左右前身頃１，２、左右側部身頃５，６、及びメッシュ生地の上に位置することで肌に食い込むことはない。従って、ワイヤー１６ａ，１６ｂの食い込みに伴う痛みや苦痛は発生しない。
【００２２】
さらに、カップ１３ａ，１３ｂが下がらないように支持するストラップ１７ａ，１７ｂも左右側部身頃５，６の上に載る為に、直接肌に接して食い込むことはなく、ストラップ１７ａ，１７ｂの周りに肉が盛り上がることもない。そして、ボディーサポータのスリーブ４ａ，４ｂが二の腕を拘束することで、ブラジャーによって胸部並びに背中を締め付けることに伴い、肉が二の腕１４ａ，１４ｂへ逃げて太くなることも防止できる。
【００２３】
図５は矯正用ブラジャーではなく、ボディーサポータの上にボディーシェイパーを着用した場合を示している。このボディーシェイパー着用の場合も、矯正用ブラジャーの場合と同じく、両カップ１３ａ，１３ｂはバスト１２ａ，１２ｂを包み込み、該バスト１２ａ，１２ｂの形を整えることが出来る。勿論、この場合に上記ボディーサポータの開口下側両コーナーに設けているレース生地９ａ，９ｂはバスト１２ａ，１２ｂの下外側を支えると共に該バスト１２ａ，１２ｂを内側へ寄せている。
【００２４】
一方、カップ１３ａ，１３ｂが下がらないように支持するストラップ１７ａ，１７ｂも左右側部身頃５，６の上に載る為に、直接肌に接して食い込むことはなく、ストラップ１７ａ，１７ｂの周りに肉が盛り上がることもない。そして、ボディーサポータのスリーブ４ａ，４ｂが二の腕を拘束することで、胸部並びに背中を締め付けることに伴い、肉が二の腕１４ａ，１４ｂへ逃げて太くなることも防止できる。
【図面の簡単な説明】
【００２５】
【図１】本発明に係るボディーサポータを示す実施例で、(ａ)は正面図、(ｂ)は背面図。
【図２】ボディーサポータを身に着けた状態。
【図３】ボディーサポータを着用した場合の背面図。
【図４】ボディーサポータの上にブラジャーを着用した場合の正面図。
【図５】ボディーサポータの上にボディーシェイパーを着用した場合の正面図。
【図６】従来の矯正用ブラジャーを直接着用した場合。
【符号の説明】
【００２６】
１  右前身頃
２  左前身頃
３  後身頃
４  スリーブ
５  右側部身頃
６  左側部身頃
７  開口
８  縁部
９  レース生地
10  当て布
11  アンダーバスト
12  バスト
13  カップ
14  二の腕
15  パネル
16  ワイヤー
17  ストラップ
18  メッシュ生地
【図１】
2006193833.tif 000003
【図２】
2006193833.tif 000004
【図３】
2006193833.tif 000005
【図４】
2006193833.tif 000006
【図５】
2006193833.tif 000007
【図６】
2006193833.tif 000008